(57)【要約】      （修正有）【課題】取り付け、取り外しの容易な車両用補助サンバイザーを提供する。【解決手段】矩形平板状台座２ａ、３ａと、その上面中間部に辺に直角に設けた支軸２ｃ、３ｃと、支軸２ｃ、３ｃ周りに回動自在に取り付けた可動クリップ片２ｄ、３ｄと、コイルばねとで同一形状の第１、第２のクリップ２、３を構成する。可動クリップ片２ｄ、３ｄの片側端縁と平板状台座２ａ、３ａの片側端縁との間に常時はコイルばねの付勢力により閉塞し、反対側端部をコイルばねの付勢力に抗して押し下げると開く挟持部２ｆ、３ｆを構成する。平板状台座２ａ、３ａの挟持部２ｆ、３ｆを除く３側縁部を可動クリップ片２ｄ、３ｄとは反対側に同一幅で直角に折り曲げて３側壁で囲まれた矩形の収納空間３ｇを形成する。第１のクリップ２の収納空間内に矩形平板状磁石４を磁着させ、その下面側に第２のクリップ３を上下反対で、その挟持部３ｆを第１のクリップ２の挟持部２ｆとは反対向き姿勢で取り付け、その挟持部３ｆに半透明遮光板を取り付ける。【選択図】図４
0003206278.tif 000002
【実用新案登録請求の範囲】
【請求項１】
既設の車両用サンバイザーに追加取り付けする補助サンバイザーの部品として好適なクリップであって、
該クリップは同形状の第１、第２のクリップと磁石からなり、
前記第１、第２のクリップは磁石が吸着する素材で形成された矩形の平板状台座と、その上面中間部に辺に直角に設けた支軸と、該支軸周りに回動自在で前記平板状台座に対峙して取り付けた可動クリップ片と、前記支軸周りに取り付けたコイルばねとで構成され、前記可動クリップ片は矩形で前記支軸に対向する片側端縁と前記平板状台座の片側端縁との間に挟持部が形成され、常時は前記コイルばねの付勢力により該挟持部は閉塞され、前記挟持部とは反対側の可動クリップ片端部をコイルばねの付勢力に抗して押し下げると挟持部が開くように構成されており、前記平板状台座の下面側には挟持部を除く３側縁部を可動クリップ片とは反対側に同一幅で直角に折り曲げて３側壁で囲まれた矩形の収納空間が形成されており、
前記磁石は前記収納空間に収まる矩形平板状で、厚みは収納空間の厚みに等しく、前記支軸方向幅は平板状台座の両側壁間寸法より少なくとも平板状台座を構成する板の厚み分だけ小さく形成されており、
かかる構成の前記第１のクリップの収納空間内に前記磁石を支軸方向片側を収納空間の片側壁に接触させた状態で磁着させ、該状態の第１のクリップの下面側に前記第２のクリップを上下反対、その挟持部を第１のクリップの挟持部とは反対向きの姿勢とし、その収納空間を構成する一方の側壁を前記第１のクリップの収納空間の側壁と磁石との隙間に、他方の側壁を第２のクリップの収納空間の側壁外側にして嵌め込んで前記磁石により吸着された状態となるように構成したことを特徴とするクリップ。
【請求項２】
既設の車両用サンバイザーに追加取り付けする補助サンバイザーの部品として好適なクリップであって、
該クリップは第１、第２のクリップと磁石からなり、
前記第１、第２のクリップは磁石が吸着する素材で形成された矩形の平板状台座と、その上面中間部に辺に直角に設けた支軸と、該支軸周りに回動自在で前記平板状台座に対峙して取り付けた可動クリップ片と、前記支軸周りに取り付けたコイルばねとで構成され、前記可動クリップ片は矩形で前記支軸に対向する片側端縁と前記平板状台座の片側端縁との間に挟持部が形成され、常時は前記コイルばねの付勢力により該挟持部は閉塞され、前記挟持部とは反対側の可動クリップ片端部をコイルばねの付勢力に抗して押し下げると挟持部が開くように構成されており、
前記第１のクリップの前記平板状台座の下面側には挟持部を除く３側縁部を可動クリップ片とは反対側に同一幅で直角に折り曲げて３側壁で囲まれた矩形の収納空間が形成されており、
前記第１、第２のクリップの可動クリップ片には各挟持部に対して直角方向に延びるスリットが形成され、二つの可動クリップ片を背中合わせに重ねた姿勢とし、二つのスリットを通してボルトとナットからなる螺子締め部品を取り付けて二つの可動クリップ片をスリットの任意位置にて、任意の相互間水平角度にて固定できようにしてあることを特徴とするクリップ。
【請求項３】
請求項２に記載のクリップにおいて、前記第２のクリップの平板状台座の下面側に固着手段としての吸盤を追加取り付けしたことを特徴とするクリップ。
【請求項４】
請求項１又は２に記載のクリップの前記第２のクリップの可動クリップ片の挟持部に半透明遮光板を挟み込んだことを特徴とする車両用補助サンバイザー。
【請求項５】
請求項３に記載のクリップの前記吸盤に半透明遮光板を吸着させたことを特徴とする車両用補助サンバイザー。
【考案の詳細な説明】
【技術分野】
【０００１】
本考案は車両用補助サンバイザー、及びその補助サンバイザーに使用するのに好適な補助サンバイザー用クリップに関する。
【背景技術】
【０００２】
一般的な車両の運転席及び助手席の前方天井には、運転中にフロントガラスを通して差し込む太陽の日差しを遮って視界を確保するサンバイザ−装置が取り付けられている。サンバイザ−装置は不使用時には天井側の退避位置に置かれ、必要時には下方に傾動させて運転者の視界を遮らずに太陽光のみを遮って視界を確保し、安全運転に資するものである。しかし、夕日など太陽高度が低い場合には、運転者の視界を遮らずに太陽光を遮るには備え付けの標準サンバイザ−装置では不十分である。
【０００３】
こうした問題を解決する手段として、備え付けの標準サンバイザ−装置に透光性を有する補助サンバイザーを取りつけて太陽の日差しを遮る提案がされている。例えば、特許文献１には、サンバイザ−本体の内部に一辺が開口する空洞部を設け、該空洞部にサングラス板を格納し、該サングラス板がサンバイザ−本体の開口部から出入可能にした自動車のサンバイザ−が開示されている。しかし、標準的サンバイザーにそのようなサングラス板を追加取り付けすることは困難である。
【０００４】
また、特許文献２には、既設の標準サンバイザーを構成するワイヤーフレームの下辺の一部にパイプを固着し、このパイプにワイヤーフレームの回りを自在の角度で保持できるブラケットを枢着し、そのブラケットに着色透明板を固着した補助サンバイザーが開示されている。しかし、既設の標準サンバイザーのワイヤーフレームの下辺にパイプを固着するのは大変に面倒で、そのような改造を一般の人が行なうことは困難である。また、不使用時には着色透明板を天井下面側に重ね合わせて折り畳み収納するため、着色透明板によりヘッドクリアランスが圧迫される問題もある。
【先行技術文献】
【特許文献】
【０００５】
【特許文献１】特開２００６−３３５３３４号公報
【特許文献２】実開平０５−８０８３４号公報
【考案の開示】
【考案が解決しようとする課題】
【０００６】
本考案は、従来技術のこうした問題点を解決するためになされたもので、その課題は、既設の標準サンバイザーに簡単に取り付け、取り外しでき、その取り付け位置も変更できる車両用補助サンバイザー、及びその部品として好適なクリップを提供することにある。
【課題を解決するための手段】
【０００７】
前記課題を解決するための請求項１に記載の考案は、既設の車両用サンバイザーに追加取り付けする補助サンバイザーの部品として好適なクリップであって、該クリップは磁石が吸着する素材で形成された同形状の第１、第２のクリップと磁石からなり、第１、第２のクリップは矩形の平板状台座と、その上面中間部に辺に直角に設けた支軸と、該支軸周りに回動自在で平板状台座に対峙して取り付けた可動クリップ片と、支軸周りに取り付けたコイルばねとで構成され、前記可動クリップ片は矩形で前記支軸に対向する片側端縁と平板状台座の片側端縁との間に挟持部が形成され、常時は前記コイルばねの付勢力により挟持部は閉塞され、挟持部とは反対側の可動クリップ片端部をコイルばねの付勢力に抗して押し下げると挟持部が開くように構成されており、前記平板状台座の下面側には挟持部を除く３側縁部を可動クリップ片とは反対側に同一幅で直角に折り曲げて３側壁で囲まれた矩形の収納空間が形成されており、前記磁石は前記収納空間に収まる矩形平板状で、厚みは収納空間の厚みに等しく、前記支軸方向幅は平板状台座の両側壁間寸法より少なくとも平板状台座を構成する板の厚み分だけ小さく形成されており、かかる構成の第１のクリップの収納空間内に前記磁石を支軸方向片側を収納空間の片側壁に接触させた状態で磁着させ、該状態の第１のクリップの下面側に第２のクリップを上下反対、その挟持部を第１のクリップの挟持部とは反対向きの姿勢とし、その収納空間を構成する一方の側壁を第１のクリップの収納空間の側壁と磁石との隙間に、他方の側壁を第２のクリップの収納空間の側壁外側にして嵌め込んで前記磁石により吸着された状態となるように構成したことを特徴とするクリップである。
【０００８】
このような構成のクリップは二つの挟持部を有するため、一方の挟持部に半透明遮光板を挟み、他方の挟持部で半透明遮光板を取り付けたクリップ全体を既設のサンバイザー、その他の任意個所に取り付けることにより車両用補助サンバイザーとして使用することができる。クリップで取り付けるため不使用のときは全体を取り外すことができる利点を有する。
【０００９】
また、請求項２に記載の考案は、既設の車両用サンバイザーに追加取り付けする補助サンバイザーの部品として好適なクリップであって、該クリップは磁石が吸着する素材で形成された第１、第２のクリップと磁石からなり、第１、第２のクリップは矩形の平板状台座と、その上面中間部に辺に直角に設けた支軸と、該支軸周りに回動自在で平板状台座に対峙して取り付けた可動クリップ片と、支軸周りに取り付けたコイルばねとで構成され、前記可動クリップ片は矩形で支軸に対向する片側端縁と平板状台座の片側端縁との間に挟持部が形成され、常時はコイルばねの付勢力により挟持部は閉塞され、前記挟持部とは反対側の可動クリップ片端部をコイルばねの付勢力に抗して押し下げると挟持部が開くように構成されており、第１のクリップの平板状台座の下面側には挟持部を除く３側縁部を可動クリップ片とは反対側に同一幅で直角に折り曲げて３側壁で囲まれた矩形の収納空間が形成されており、該収納空間内には厚みが収納空間の厚みに等しい矩形平板状の前記磁石が取り付けられており、第１、第２のクリップの可動クリップ片には各挟持部に対して直角方向に延びるスリットが形成され、二つの可動クリップ片を背中合わせに重ねた姿勢とし、二つのスリットを通してボルトとナットからなる螺子締め部品を取り付けて二つの可動クリップ片をスリットの任意位置にて、任意の相互間水平角度にて固定できようにしてあることを特徴とするクリップである。
【００１０】
このような構成のクリップは磁石でもってクリップ全体を車内天井、運転席側窓上部等の金属部に吸着取り付けすることができるし、第１のクリップの挟持部でもって既設のサンバイザーを挟んで取り付けることもできる。第１、第２のクリップの相対位置関係と相互間水平角度も変えられるため、第２のクリップの挟持部に半透明遮光板を挟んで補助サンバイザーとして使用すれば、既設サンバイザーでは遮光できない太陽光を遮る手段としての自由度が高い利点を有する。半透明遮光板に代えて扇子、葉書、小冊子等を挟んで遮光することにも使用できる。
【００１１】
また、請求項３に記載の考案は、請求項２に記載のクリップにおいて、前記第２のクリップの平板状台座の下面側に固着手段としての吸盤を追加取り付けしたことを特徴とするクリップである。
【００１２】
このような構成のクリップでは、半透明遮光板は挟持部に挟んで取り付けられる他、吸盤に吸着させて取り付けることもできる。
【００１３】
また、請求項４に記載の考案は、請求項１又は２に記載のクリップの前記第２のクリップの可動クリップ片の挟持部に半透明遮光板を挟み込んだことを特徴とする車両用補助サンバイザーである。
【００１４】
このような構成の補助サンバイザーは半透明遮光板が取り付けられていない方のクリップで既設サンバイザーの端を挟んで取り付けたり、磁石を運転席側窓上部の金属部に吸着させたりすることにより、既設サンバイザーでは遮光しきれない太陽光を遮光する補助サンバイザーとして使用できる。
【００１５】
また、請求項５に記載の考案は、請求項３に記載のクリップの前記吸盤に半透明遮光板を吸着させたことを特徴とする車両用補助サンバイザーである。
【００１６】
このような構成の補助サンバイザーも請求項４に記載の補助サンバイザーと同様の効果を奏する。
【図面の簡単な説明】
【００１７】
【図１】第１の実施形態に係るクリップ１の外観斜視図である。
【図２】クリップ１の左側面図である。
【図３】クリップ１の背面図である。
【図４】クリップ１の分解斜視図である。
【図５】図２のＡ−Ａ線に沿った端面図である。
【図６】第２の実施形態に係るクリップ１０の外観斜視図である。
【図７】クリップ１０の左側面図である。
【図８】クリップ１０の分解斜視図である。
【図９】クリップ１０の他の斜視図である。
【図１０】第３の実施形態に係るクリップ１１の側面図である。
【図１１】補助サンバイザー１ａの外観斜視図である。
【図１２】補助サンバイザー１０ａの外観斜視図である。
【図１３】補助サンバイザー１１ａである。
【考案を実施するための形態】
【００１８】
以下、本考案に係るクリップ及び車両用補助サンバイザーの構成例について実施形態に分けて説明する。
（第１の実施形態）
図１は第１の実施形態に係るクリップ１の外観斜視図、図２はクリップ１の左側面図、図３はクリップ１の背面図、図４はクリップ１の分解斜視図である。クリップ１は車両に取り付けられた既設の車両用サンバイザーに追加取り付けする補助サンバイザーの部品として好適なクリップである。
【００１９】
クリップ１は図４に示すように磁石が吸着する素材で形成された第１のクリップ２、第２のクリップ３と、磁石４の３部品で構成される。第１、第２のクリップ２、３は同一形状である。各クリップは矩形の平板状台座２ａ、３ａと、その上面中間部に辺に直角に設けた支軸２ｃ、３ｃと、それら支軸周りに回動自在に平板状台座２ａ、３ａに対峙して取り付けられた可動クリップ片２ｄ、３ｄと、支軸２ｃ、３ｃ周りに取り付けたコイルばね２ｅ、３ｅとで構成されている。
【００２０】
可動クリップ片２ｄ、３ｄは矩形板で、支軸２ｃ、３ｃに対向する片側端縁と平板状台座２ａ、３ａの片側端縁との間には挟持部２ｆ、３ｆが形成されている。挟持部２ｆ、３ｆは、常時はコイルばね２ｅ、３ｅの付勢力により閉塞状態にされており、挟持部２ｆ、３ｆとは反対側の可動クリップ片２ｄ、３ｄ端部をコイルばね２ｅ、３ｅの付勢力に抗して押し下げると開くように構成されている。
【００２１】
平板状台座２ａ、３ａの下面側には挟持部２ｆ、３ｆを除く３側縁部を可動クリップ片２ｄ、３ｄとは反対側に同一幅で直角に折り曲げた３側壁が形成され、その３側壁により矩形の収納空間２ｇ、３ｇが形成されている。
【００２２】
磁石４は平板状台座２ａ、３ａ下側の収納空間２ｇ、３ｇに収まる矩形平板状で、厚みは収納空間２ｇ、３ｇの厚みに等しくしてある。磁石４の平板状台座２ａ、３ａの支軸２ｃ、３ｃ方向幅は、平板状台座２ａ、３ａの両側壁間寸法より少なくとも平板状台座２ａ、３ａを構成する板の厚み分だけ小さく形成してある。
【００２３】
かかる構成の第１、第２のクリップ２、３を磁石４により図１に示すように、二つの収納空間２ｇ、３ｇが重なるように吸着させた状態に組み合わせる。図５は図１のＡ−Ａ線に沿った端面図である。第１のクリップ２の下面側の収納空間２ｇ内に磁石４を支軸方向片側を収納空間２ｇ、３ｇの片側側壁に接触させた状態で磁着させる。次いで、該状態の第１のクリップ２の下面側に第２のクリップ３を上下反対で、その挟持部２ｆが第１のクリップ２の挟持部２ｆとは反対方向を向く姿勢として取り付ける。磁石４の幅は収納空間２ｇの両側壁間の寸法より小さく、片側側壁に接触させた状態で磁着させてあるため反対側側壁と磁石４との間には隙間ができる。その隙間に第２のクリップ３の収納空間３ｇの一方の側壁を挿入し、収納空間３ｇの他方の側壁は第１のクリップ２の収納空間２ｇの側壁の外側となるようにして嵌め込む。その状態を表したのが図５の端面図である。このように嵌め込むと第２のクリップ３の平板状台座３ａも磁石４に吸着された状態となる。こうして図１、図２に示したクリップ１ができあがる。
【００２４】
このような構成のクリップ１は二つの挟持部２ｆ、３ｆを有するため、一方の挟持部に半透明遮光板を挟み、他方の挟持部で半透明遮光板を取り付けたクリップ１全体を既設のサンバイザー、その他の任意個所に取り付けて車両用補助サンバイザーとして使用することができる。クリップ１で取り付けるため不使用のときは全体を取り外すこともできる。
【００２５】
（第２の実施形態）
図６は第２の実施形態に係るクリップ１０の外観斜視図、図７はクリップ１０の左側面図、図８はクリップ１０の分解斜視図である。クリップ１０も車両に取り付けられた既設の車両用サンバイザーに追加取り付けする補助サンバイザーの部品として好適なクリップである。
【００２６】
クリップ１０は図８に示すように磁石が吸着する素材で形成された第１のクリップ２０、第２のクリップ３０、磁石４０、ボルト５、ナット６の６部品で構成される。クリップ１０は第１の実施形態における第１、第２のクリップ２、３を背中合わせに結合した構成になっており、第１の実施形態と同じ部品には同一の符号が付してある。第１のクリップ２０は第１の実施形態における第１のクリップ２を裏返した形状をしており、第１の実施形態の第１のクリップ２と形状的に異なるのは、図８に示すように可動クリップ片２ｄにスリット７ａが追加で設けてある点である。
【００２７】
第２のクリップ３０も第１の実施形態における第２のクリップ３を裏返した形状をしている。第１の実施形態の第２のクリップ３と形状的に異なるのは、図８に示すように可動クリップ片３ｄにスリット７ｂが追加で設けてある点と、矩形の平板状台座３ａの側縁には直角に折り曲げた側壁がなく、単なる矩形板として形成されている点である。磁石４０は第１のクリップ２０の矩形の収納空間２ｇに丁度、納まる大きさで、図６に示すように第１のクリップ２０の矩形の収納空間２ｇに取り付けられる。
【００２８】
本実施形態のクリップ１０は図６、図７に示すように、第１、第２のクリップ２０、３０の可動クリップ片２ｄ、３ｄを背中合わせに重ね、ボルト５を両者のスリット７ａ、７ｂに通し、反対側にナット６を取り付けて締めつけ固定して構成される。ボルト５を通すスリット７ａ、７ｂは長孔であるため、ボルト５とナット６で締めつける個所を変えることにより第１、第２のクリップ２０、３０の相対位置関係を変えることができる。また、図９に示すように両者の相互間水平角度も変えることができる。
【００２９】
このような構成のクリップ１０は、磁石４０でもってクリップ１０全体を車内天井、運転席側窓上部等の金属部に吸着取り付けすることができるし、第１のクリップ２０の挟持部２ｆでもって既設のサンバイザーを挟んで取り付けることもできる。第１、第２のクリップ２０、３０の相対位置関係と相互間水平角度も変えられるため、第２のクリップ３０の挟持部３ｆに半透明遮光板を挟んで補助サンバイザーとして使用すれば、車内に差し込む太陽光を遮る手段としての自由度が高い利点を有する。半透明遮光板に代えて扇子、葉書、小冊子等を挟んで遮光することにも使用できる。
【００３０】
（第３の実施形態）
図１０は第３の実施形態に係るクリップ１１の側面図である。クリップ１１は図７に示した第２の実施形態に係るクリップ１０に吸盤８を追加取り付けしたものである。吸盤８は第２のクリップ３０の平板状台座３ａの下面側に取り付けてある。このような構成のクリップ１１では、半透明遮光板は挟持部３ｆに挟んで取り付けられる他、吸盤８に吸着させた状態で取り付けることもできる。
【００３１】
（第４の実施形態）
本実施形態は、前述した第１の実施形態に係る図１のクリップ１、第２の実施形態に係る図６のクリップ１０、第３の実施形態に係る図１０のクリップ１１に半透明遮光板を取り付けて補助サンバイザーとしたものである。図１１は第１の実施形態に係るクリップ１の第１のクリップ２で半透明遮光板９を挟んだ構成の補助サンバイザー１ａ、図１２は第２の実施形態に係るクリップ１０の第２のクリップ３０で半透明遮光板９を挟んだ構成の補助サンバイザー１０ａ、図１３は第３の実施形態に係るクリップ１１の吸盤８で半透明遮光板９を吸着取り付けした構成の補助サンバイザー１１ａである。
【００３２】
これらの構成の補助サンバイザーは、半透明遮光板９が取り付けられていない方のクリップで既設サンバイザーの端を挟んで取り付けたり、磁石４０を運転席側窓上部の金属部に吸着させたりすることにより、既設サンバイザーでは遮光しきれない太陽光を遮光する補助サンバイザーとして使用できる。
【符号の説明】
【００３３】
図面中、１、１０、１１はクリップ、１ａ、１０ａ、１１ａは補助サンバイザー、２は第１のクリップ、２ａ、３ａは平板状台座、２ｃ、３ｃは支軸、２ｄ、３ｄは可動クリップ片、２ｅ、３ｅはコイルばね、２ｆ、３ｆは挟持部、２ｇ、３ｇは矩形状収納空間、３は第２のクリップ、４、４０は磁石、５はボルト、６はナット、７ａ、７ｂはスリット、８は吸盤、９は半透明遮光板を示す。
【図１】
0003206278.tif 000003
【図２】
0003206278.tif 000004
【図３】
0003206278.tif 000005
【図４】
0003206278.tif 000006
【図５】
0003206278.tif 000007
【図６】
0003206278.tif 000008
【図７】
0003206278.tif 000009
【図８】
0003206278.tif 000010
【図９】
0003206278.tif 000011
【図１０】
0003206278.tif 000012
【図１１】
0003206278.tif 000013
【図１２】
0003206278.tif 000014
【図１３】
0003206278.tif 000015